(57)【要約】【課題】利用者の評価を可視化して利用者の周辺領域と組み合わせることにより、空間設計や実際の構築などの人的、時間的稼動を大幅に削減する。【解決手段】本発明は、入力された評価情報（３２）を基に、利用者の評価が反映された濃度情報を有する２次元の利用者評価領域を生成する（１１２）。そして、この生成された利用者評価領域を基本画像に重ね合わせて表示する。【選択図】      図３
2008269416.tif 000002
【特許請求の範囲】
【請求項１】
利用者が利用する利用空間における評価地点及び前記評価地点における利用者の評価を示す評価値を含む評価情報を受け付ける受付手段と、
前記受付手段で受け付けた複数の評価情報に基づいて生成され、利用者の評価が反映された濃度情報を有する２次元の利用者評価領域を生成する手段と、
前記生成された利用者評価領域の濃度情報を有する基本画像への配置を受け付ける手段と、
前記利用者評価領域の前記基本画像への配置が受け付けられた場合に、前記利用者評価領域に含まれる利用者評価領域の濃度情報と、利用者評価領域が配置された領域に対応する前記基本画像の濃度情報とに基づいて、利用者評価領域の濃度情報を算出する算出手段と、
前記算出手段により濃度情報が算出された利用者評価領域を、その利用者評価領域の濃度情報に応じた色を付して前記基本画像上へ合成画像として表示する表示手段と
を具備することを特徴とする利用者評価可視化装置。
【請求項２】
前記合成画像を保存する保存手段をさらに具備することを特徴とする請求項１記載の利用者評価可視化装置。
【請求項３】
利用者が利用する利用空間における評価地点及び前記評価地点における利用者の評価を示す評価値を含む評価情報を受け付け、
前記受け付けた複数の評価情報に基づいて生成され、利用者の評価が反映された濃度情報を有する２次元の利用者評価領域を生成し、
前記生成された利用者評価領域の濃度情報を有する基本画像への配置を受け付け、
前記利用者評価領域の前記基本画像への配置が受け付けられた場合に、前記利用者評価領域に含まれる利用者評価領域の濃度情報と、利用者評価領域が配置された領域に対応する前記基本画像の濃度情報とに基づいて、利用者評価領域の濃度情報を算出し、
前記算出された利用者評価領域を、その利用者評価領域の濃度情報に応じた色を付して前記基本画像上へ合成画像として表示することを特徴とする利用者評価可視化装置における利用者評価可視化方法。
【請求項４】
前記合成画像を保存することをさらに具備することを特徴とする請求項３記載の方法。
【請求項５】
利用者評価可視化装置において使用される利用者評価可視化プログラムにおいて、
前記プログラムは、前記利用者評価可視化装置に、
利用者が利用する利用空間における評価地点及び前記評価地点における利用者の評価を示す評価値を含む評価情報を受け付けさせ、
受け付けた複数の評価情報に基づいて生成され、利用者の評価が反映された濃度情報を有する２次元の利用者評価領域を生成させ、
前記生成された利用者評価領域の濃度情報を有する基本画像への配置を受け付けさせ、
前記利用者評価領域の前記基本画像への配置が受け付けられた場合に、前記利用者評価領域に含まれる利用者評価領域の濃度情報と、利用者評価領域が配置された領域に対応する前記基本画像の濃度情報とに基づいて、利用者評価領域の濃度情報を算出させ、
前記算出された利用者評価領域を、その利用者評価領域の濃度情報に応じた色を付して前記基本画像上へ合成画像として表示させることを特徴とする利用者評価可視化プログラム。
【請求項６】
前記プログラムは、さらに、前記利用者評価可視化装置に前記合成画像を保存させることを特徴とする請求項５記載のプログラム。
【発明の詳細な説明】
【技術分野】
【０００１】
本発明は、利用者評価可視化装置に関し、特に、利用者周辺領域に対する評価情報を処理して、主に幾何学に関連する理論を応用して、空間の一部もしくは全体に対する利用者の評価を可視化することを実現する利用者評価可視化装置に関する。
【背景技術】
【０００２】
近年、人の行動範囲が非常に広くなり、さまざまな活動が場所や時間を問わずに行われるようになってきている。人が滞在し、利用する空間の設計については建築分野や人間工学で、人間の身体的な観点からは既に指針が示されている。
さらに、近年の空間利用に関しては、楽しさ、満足感、快適性など人の感性的特性との適合性という感性的側面を考慮した新しいデザインが要求されている。しかし、上記のような先行の指針だけでは、利用者が満足する空間を提供しようとしても、どのような形態の空間にすればよいのかが明確にならない。また、一般に、デザインの成否は計画段階で構想したイメージや予測した効果が完成後にうまく実現するかどうかによって評価されることになる。
【０００３】
【非特許文献１】「ＣＡＤ・ＣＧ技術者のための実践ＮＵＲＢＳ」  著者：三浦  曜、望月  一正、出版社：工業調査会（２００１年３月）、ｐ．１６０〜ｐ．１７０
【発明の開示】
【発明が解決しようとする課題】
【０００４】
上述の通り、従来の空間の評価では、計画段階で構想したイメージや予測した効果が完成後にうまく実現するかどうかによって評価されることになるため、修正や再設計・再構築の機会が制約され、著しく生産性を低下させるという問題があった。
本発明は、上記実情に鑑みてなされたものであり、利用者の評価を可視化して利用者の周辺領域と組み合わせることにより、空間設計や実際の構築などの人的、時間的稼動を大幅に削減することが可能な利用者評価可視化装置を提供することを目的とする。
【課題を解決するための手段】
【０００５】
本発明の第１の発明によれば、利用者が利用する利用空間における評価地点及び前記評価地点における利用者の評価を示す評価値を含む評価情報を受け付ける受付手段と、前記受付手段で受け付けた複数の評価情報に基づいて生成され、利用者の評価が反映された濃度情報を有する２次元の利用者評価領域を生成する手段と、前記生成された利用者評価領域の濃度情報を有する基本画像への配置を受け付ける手段と、前記利用者評価領域の前記基本画像への配置が受け付けられた場合に、前記利用者評価領域に含まれる利用者評価領域の濃度情報と、利用者評価領域が配置された領域に対応する前記基本画像の濃度情報とに基づいて、利用者評価領域の濃度情報を算出する算出手段と、前記算出手段により濃度情報が算出された利用者評価領域を、その利用者評価領域の濃度情報に応じた色を付して前記基本画像上へ合成画像として表示する表示手段とを具備することを特徴とする利用者評価可視化装置、である。
【０００６】
本発明の第２の発明によれば、第１の発明において、前記合成画像を保存する保存手段をさらに具備することを特徴とする利用者評価可視化装置、である。
【発明の効果】
【０００７】
本発明によれば、利用者の評価を可視化して利用者の周辺領域と組み合わせることにより、空間設計や実際の構築などの人的、時間的稼動を大幅に削減することができる。
【発明を実施するための最良の形態】
【０００８】
以下、図面を参照して、本発明の実施の形態に係る利用者評価可視化装置について説明する。
図１は、利用者評価可視化装置のハードウェア構成を示す図である。
同図に示すように、利用者評価可視化装置１は、バス１１にＣＰＵ１２、表示部１３、メモリ１４、入力部１５及び記憶装置１６が接続されている。
【０００９】
ＣＰＵ１２は、記憶装置１６に記憶された利用者評価可視化プログラム２1と協働して、本発明の実施の形態に係る処理全体を司るものである。
表示部１３は、基本画像上に利用者評価可視化プログラム２１により可視化された利用者の利用者評価領域などを表示するものであり、例えば、液晶ディスプレイである。
【００１０】
メモリ１４は、利用者評価可視化プログラム２１を実行する際に必要とされるワークエリアなどとして使用される。
入力部１５は、利用者評価可視化プログラムを実行する際に、利用者が利用する利用空間における評価地点及び前記評価地点における利用者の評価を示す評価値を含む評価情報や、基本画像の入力を行うための入力デバイスであり、例えば、キーボードやスキャナなどである。
【００１１】
記憶装置１６は、利用者評価可視化プログラム２１による利用者評価可視化処理に必要とされるデータを格納するためのものであり、例えば、ハードディスクドライブ（ＨＤＤ）である。この記憶装置１６には、利用者評価可視化プログラム２１、データベース２２、ＯＳ２３が格納されている。
【００１２】
利用者評価可視化プログラム２１は、ＯＳ２３上で動作するアプリケーションプログラムであって、ＣＰＵ１２と協働して、本発明の実施の形態に係る利用者評価可視化処理を実現するものである。
データベース２２は、本発明の実施の形態に係る利用者評価可視化処理を行なうために必要とされる基本画像、評価情報、本発明の実施の形態に係る利用者評価可視化処理によって生成される利用者評価領域、利用者評価合成領域などを格納するものである。
【００１３】
図２は、本発明の実施の形態に係る利用者評価可視化装置の機能ブロック図である。
同図に示すように、本発明の実施の形態に係る利用者評価可視化装置は、（１）利用者評価領域可視化部１１０と、（２）利用者評価合成部１２０とを有している。
まず、最初に（１）利用者評価領域可視化部１１０について説明する。
【００１４】
利用者評価領域可視化部１１０は外部から入力される利用者が利用する利用空間における評価地点及び前記評価地点における利用者の評価を示す評価値を含む複数の評価情報に基づいて、利用者の評価が反映された濃度情報を有する２次元の利用者評価領域を生成する処理を行なう。なお、濃度情報は、表示部１３に表示される際の色彩に対応している。
【００１５】
図３は利用者評価可視部１１０の機能ブロック図である。
同図に示すように、利用者評価可視部１１０は利用者評価入力部１１１、利用者評価領域生成部１１２及び利用者評価領域記録部１１３を有する。
利用者評価入力部１１１は、例えば、図４に示すような評価情報入力画面３１を表示部１３に表示し、この評価情報入力画面３１を通して利用者の周辺領域に関する評価情報３２を受け付ける。
【００１６】
ここで、評価情報３２とは、利用者を中心に据え、利用者の周辺領域内の複数の評価値点における利用者の主観評価（安心感、快適性など）を数値で表わしたものである。評価値点は、利用者（中心）から放射状に広がる複数の方向にとった点である。本実施の形態においては、利用者の主観的評価はＳ（最大値）〜−Ｓ（最小値）までの自然数であるものとするが、これに限られるものではない。
【００１７】
利用者評価領域生成部１１２は、利用者評価入力部１１１で入力された評価情報３２を基に利用者評価領域を生成する。具体的には、以下の手順で利用者評価領域を生成する。
（手順１）  利用者評価入力部１１１で入力された評価情報３２の評価地点を利用者の位置を中心としたｘｙ平面状の点とし、それぞれの評価地点での評価値（利用者の主観評価を数値で表わしたもの）をｚ軸の値とする。図５は入力された評価情報の斜視図、図６は入力された評価情報のｙｚ平面を示す図である。
（手順２）  入力された評価情報（評価地点＋評価値）を用いて、ｘｙ平面上で同一の放射方向にある評価地点（ｘ、ｙ座標）の評価値（ｚ座標）について、３次元座標上の近似曲線を生成する。
【００１８】
図７は３次元座標上で同一の放射方向上の各評価値を線で結んだ斜視図を示し、図８は図７のｙｚ平面を示す図である。例えば、本実施の形態においては、ｘｙ軸に対して４５度の直線上に２つの評価地点があり、これら評価地点上の各評価値を結ぶ。なお、本実施の形態においては、同一の放射方向上の２点を例にした場合のみについて示しているので、各評価値を結ぶ線は線分となるが、３点以上の場合には近似曲線となる。
（手順３）  手順２で、放射方向毎に生成した線分（近似曲線）を、それぞれｘ２＋ｙ２＝ｒ２（ｒ：半径）の曲面まで延長する。図９は手順３により線分をｘ２＋ｙ２＝ｒ２の曲面まで延長した場合の斜視図、図１０は図９のｙｚ平面を示す図である。
（手順４）  放射方向毎の線分をさらに平面Ｚ＝Ｓ（利用者の主観評価の最大値）まで、放射方向毎に延長する。図１１は、手順４により線分を平面Ｚ＝Ｓまで延長した場合の斜視図、図１２は、図１１のｙｚ平面を示す図である。
（手順５）  手順３で曲面ｘ２＋ｙ２＝ｒ２まで延長した線分の全ての端点をなめらかに曲線で結んで閉曲線とする。同様に、手順４で平面Ｚ＝３まで延長した線分の全ての端面を曲線で結んで閉曲線とする。図１３は手順５により閉曲線を作成した場合の斜視図、図１４は図１３のｙｚ平面を示す図である。これら閉曲線はメモリに格納される。
（手順６）  手順５で作成した２本の閉曲線をレールにして、手順３及び手順４で作成した線分間を積分することで曲面を生成する。図１５は生成した曲面の斜視図、図１６は図１５のｙｚ平面を示す図である。この具体的な手法については、例えば、特許文献１に開示されている。
（手順７）  手順６で生成した曲面上の全ての座標に、Ｚ軸の値に応じて色を割り当てる。図１７はｚ軸の値に応じて曲面を５色の領域６１〜６５に分けた斜視図であり、図１８は図１７のｙｚ平面図である。なお、図１７及び図１８においては、ｚ軸の値に応じて５色の領域にわける場合に示したが、さらに細かく分けても良いことはいうまでもない。例えば、ｚ軸の値に応じて色を段階的に変化させてグラデーションとしても良い。
（手順８）  手順７で生成した色付きの曲面をｘｙ平面に射影することで２次元上の図形を生成する。これが利用者評価領域となる。図１９は生成された利用者評価領域を示す図である。
【００１９】
利用者評価領域表示記録部１１３は、上記一連の手順で生成された利用者評価領域を利用者評価領域確認画面３３として画面上に表示するとともに、生成された利用者評価領域を保持する。
この利用者評価領域は評価情報３２の内容を変えることで、複数作成することができる。連続で作成する場合には、利用者評価入力部１１１が評価情報入力画面３１を画面に表示し、評価情報３２の入力を受け付ける手続から改めて行なうことになる。
【００２０】
図２８は、利用者評価領域可視化部１１０の動作を説明するためのフローチャートである。同図に示すように、まず、評価情報を取得すると（Ｓ１）、取得が終了したか否かの判断が行われる（Ｓ２）。Ｓ２において取得が終了していないと判断された場合にはＳ１の処理に戻る。
【００２１】
一方、Ｓ２において、取得が終了したと判断された場合には、取得した評価情報に基づいて、上述の利用者評価領域の生成処理を行ない（Ｓ３）、単体の利用者評価領域を表示する（Ｓ４）。
その後、表示された利用者評価領域が確定したか否かの判断が行われ（Ｓ５）、確定していないと判断された場合にはＳ１の処理に戻る。一方、Ｓ５において、確定したと判断された場合には、生成された利用者評価領域を保存する（Ｓ６）。
【００２２】
その後、処理が終了したか否かの判断が行われ（Ｓ７）、終了していないと判断された場合にはＳ１の処理に戻り、他の利用者評価領域の評価情報を取得する。一方、Ｓ７において、終了したと判断された場合には利用者評価領域の生成処理を終了する。
次に、（２）利用者評価合成部１２０について説明する。
【００２３】
図２０は利用者評価合成部１２０の機能ブロック図である。
同図に示すように、利用者評価合成部１２０は利用者評価領域読込部１２１、基本画像入力部１２２、操作部１２３、利用者評価領域結合部１２４及び合成画像出力部１２５を有している。
利用者評価領域読込部１２１は、図２１に示すように、利用者評価可視化部１１０の利用者評価領域表示記録部１１３に記録された利用者評価領域を読み込み、利用者評価領域表示画面４１に表示する。ただし、このとき、図２２に示すように、それぞれの利用者評価領域は、利用者評価領域読込部１２１内部では白黒の濃淡画像化した画像として扱っている（画面上は、色のついた利用者評価領域のまま）。
【００２４】
基本画像入力部１２２は、図２３に示すような基本画像４２の入力を受け付けて、図２４に示すような形で読み込む。
操作部１２３は、基本画像入力部１２２に入力された基本画像４２を利用者評価領域表示画面４０内に組み込み、基本画像４２全体を利用者の主観評価の最大値Ｓに割り当てた色と同じにして、利用者評価領域操作画面４３を表示する。このとき、利用者評価領域読込部１２１内部では、入力した基本画像４２（空間の平面図）を白黒の濃淡画像として保持している。
【００２５】
ここで、図２５に示すように、利用者評価領域操作画面４３内に表示された利用者評価領域の一つを選択（ドラッグ）し、同じく利用者評価領域操作画面４３内に表示された基本画像４２の利用者が滞在する位置に合わせて配置（ドロップ）する。
利用者評価領域結合部１２４は、利用者が滞在する位置のいくつか若しくは全部に利用者評価領域を配置した後、白黒の濃淡画像である基本画像と、やはり白黒の濃淡画像である利用者評価領域の重なり部分の各画素について濃度情報を足し合わせる（図２６）。
【００２６】
ただし、壁の裏側等、実際に人が立ち入らない領域については、その領域を指定することにより重ね合わせ（濃淡情報の足し合わせ）の対象外とする。また、複数の隣り合う利用者評価領域が重なった場合には、以下の示すような方法のうちいずれかを選択して濃度情報を足し合わせる（方法はこれらの限りではない）。
（方法１）  単純に濃度情報を足し合わせたものを新たな濃度情報とする。
（方法２）  もっとも大きい値の濃度情報を新たな濃度情報とする。
【００２７】
このようにして出来上がった白黒の濃淡画像の画素毎に、濃度に応じた色を改めて付与することで、利用者評価領域を重ね合わせた基本画像に色がついた状態の利用者評価合成画像４４が出来上がる。この利用者評価合成画像４４を合成画像出力部１２５で画面に出力し（図２７）、必要に応じて記録する。
【００２８】
次に、利用者評価合成部１２０の処理について、図２９のフローチャートを参照して説明する。
利用者評価可視化部１１０から利用者評価領域を取得すると（Ｓ１１）、利用者評価領域が利用者評価領域表示画面４１に表示される（Ｓ１２）とともに、当該利用者評価領域の濃淡化処理が行なわれる（Ｓ１３）。この濃淡化処理は、ｘｙ平面に投影された曲面のＺ軸の値に応じて行われる。
【００２９】
次に、基本画像４２の取得が行なわれ（Ｓ１４）、基本画像４２が確定したか否かの判断が行われる（Ｓ１５）。確定していないと判断された場合にはＳ１４の処理に戻る。一方、確定していると判断された場合には、基本画像４２の濃淡化処理を行なう（Ｓ１７）とともに、基本画像と利用者評価領域の結合処理が行なわれる（Ｓ１６）。
【００３０】
その後、処理を終了したか否かの判断が行われ（Ｓ１８）、終了したと判断された場合には、合成画像を画面に出力する（Ｓ１９）。そして、合成画像を保存するか否かをユーザの指示に基づいて判断し（Ｓ２０）、保存すると判断された場合には、合成画像を保存した後（Ｓ２１）、処理を終了する。
【００３１】
したがって、本発明の実施の形態によれば、利用者周辺領域の評価情報に対して、幾何学の理論を応用し、空間の一部若しくは全体に対する利用者の評価を可視化することができ、これによって、空間の一部もしくは全体に対する利用者の評価を直感的に理解し易くすることができる。
【００３２】
また、実際の空間を構築する前に、設計段階で利用者の主観的な評価を勘案した評価を可視的に行なうことができ、これによって、空間設計や実際の構築等の人的、時間的稼動を大幅に削減することができる。
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００３３】
また、実施形態に記載した手法は、計算機（コンピュータ）に実行させることができるプログラム（ソフトウエア手段）として、例えば磁気ディスク（フロッピー（登録商標）ディスク、ハードディスク等）、光ディスク（ＣＤ−ＲＯＭ、ＤＶＤ、ＭＯ等）、半導体メモリ（ＲＯＭ、ＲＡＭ、フラッシュメモリ等）等の記録媒体に格納し、また通信媒体により伝送して頒布することもできる。なお、媒体側に格納されるプログラムには、計算機に実行させるソフトウエア手段（実行プログラムのみならずテーブルやデータ構造も含む）を計算機内に構成させる設定プログラムをも含む。本装置を実現する計算機は、記録媒体に記録されたプログラムを読み込み、また場合により設定プログラムによりソフトウエア手段を構築し、このソフトウエア手段によって動作が制御されることにより上述した処理を実行する。なお、本明細書でいう記録媒体は、頒布用に限らず、計算機内部あるいはネットワークを介して接続される機器に設けられた磁気ディスクや半導体メモリ等の記憶媒体を含むものである。
【図面の簡単な説明】
【００３４】
【図１】利用者評価可視化装置のハードウェア構成を示す図である。
【図２】本発明の実施の形態に係る利用者評価可視化装置の機能ブロック図である。
【図３】利用者評価可視部の機能ブロック図である。
【図４】評価情報入力画面を示す図である。
【図５】入力された評価情報の斜視図である。
【図６】入力された評価情報のｙｚ平面を示す図である。
【図７】３次元座標上で同一の放射方向上の各評価値を線で結んだ斜視図。
【図８】図７のｙｚ平面を示す図である。
【図９】手順３により線分をｘ２＋ｙ２＝ｒ２の曲面まで延長した場合の斜視図である。
【図１０】図９のｙｚ平面を示す図である。
【図１１】手順４により線分を平面Ｚ＝Ｓまで延長した場合の斜視図である。
【図１２】図１１のｙｚ平面を示す図である。
【図１３】手順５により閉曲線を作成した場合の斜視図である。
【図１４】図１３のｙｚ平面を示す図である。
【図１５】生成した曲面の斜視図である。
【図１６】図１５のｙｚ平面を示す図である。
【図１７】ｚ軸の値に応じて曲面を５色の領域に分けた斜視図である。
【図１８】図１７のｙｚ平面図である。
【図１９】生成された利用者評価領域を示す図である。
【図２０】利用者評価合成部の機能ブロック図である。
【図２１】利用者評価領域表示画面を示す図である。
【図２２】利用者評価領域の濃淡画像化した画像を示す図である。
【図２３】基本画像を示す図である。
【図２４】基本画像が組み込まれた利用者評価領域表示画面を示す図である。
【図２５】利用者評価領域を基本画像にドラッグした画面を示す図である。
【図２６】基本画像の濃度情報と利用者評価領域との濃度情報を足し合わせた画像を示す図である。
【図２７】利用者評価合成画像を示す図である。
【図２８】利用者評価領域可視化部の処理を説明するためのフローチャートである。
【図２９】利用者評価合成部の処理を説明するためのフローチャートである。
【符号の説明】
【００３５】
１…利用者評価可視化装置、１１…バス、１２…ＣＰＵ、１３…表示部、１４…メモリ、１５…入力部、２１…利用者評価可視化プログラム、２２…データベース、２３…ＯＳ。
【図１】
2008269416.tif 000003
【図２】
2008269416.tif 000004
【図３】
2008269416.tif 000005
【図４】
2008269416.tif 000006
【図５】
2008269416.tif 000007
【図６】
2008269416.tif 000008
【図７】
2008269416.tif 000009
【図８】
2008269416.tif 000010
【図９】
2008269416.tif 000011
【図１０】
2008269416.tif 000012
【図１１】
2008269416.tif 000013
【図１２】
2008269416.tif 000014
【図１３】
2008269416.tif 000015
【図１４】
2008269416.tif 000016
【図１５】
2008269416.tif 000017
【図１６】
2008269416.tif 000018
【図１７】
2008269416.tif 000019
【図１８】
2008269416.tif 000020
【図１９】
2008269416.tif 000021
【図２０】
2008269416.tif 000022
【図２１】
2008269416.tif 000023
【図２２】
2008269416.tif 000024
【図２３】
2008269416.tif 000025
【図２４】
2008269416.tif 000026
【図２５】
2008269416.tif 000027
【図２６】
2008269416.tif 000028
【図２７】
2008269416.tif 000029
【図２８】
2008269416.tif 000030
【図２９】
2008269416.tif 000031